【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
組織成長を促進するための装置であって、
複数の微小構造を有する生体適合性マトリックスであって、各微小構造は、機械的な刺激を組織表面に付与するように構築および配置されている、生体適合性マトリックス
を備え、
該装置は、該複数の微小構造のうちの第１の微小構造による第１の機械的な刺激の付与が、該複数の微小構造のうちの第２の微小構造による第２の機械的な刺激の付与とは別個に制御可能であるように構成されている、装置。
【請求項２】
前記第１の微小構造と、前記第２の微小構造とは、前記組織表面に圧力を適用するように構築および配置された微小チャンバーを備えている、請求項１に記載の装置。
【請求項３】
前記第１の微小構造と、前記第２の微小構造とは、前記組織表面に減圧を適用するように構築および配置された微小チャンバーを備えている、請求項２に記載の装置。
【請求項４】
チャンネルを介して前記微小チャンバーに流体により連結された減圧供給源をさらに備えている、請求項３に記載の装置。
【請求項５】
前記微小チャンバーに圧力を制御可能に適用するように該微小チャンバーに流体により連結された圧力供給源をさらに備え、該微小チャンバーに適用される圧力は、前記装置の中に埋め込まれた微小流体バルブを用いて制御可能である、請求項２に記載の装置。
【請求項６】
前記第１の微小構造による前記第１の機械的な刺激の付与が、前記第２の微小構造によって付与される前記第２の機械的な刺激の大きさを変えることなく、該第１の機械的な刺激の大きさを変更するように制御可能である、請求項１に記載の装置。
【請求項７】
前記マトリックスは、シリコーンゴムを含み、各微小構造は、１０ミクロン以下の幅を有する微小チャンバーを備えている、請求項１に記載の装置。
【請求項８】
前記マトリックスは、前記組織表面に圧力を適用するように構築および配置された複数の微小チャンバーを備え、該微小チャンバーのそれぞれが、１０，０００ミクロン以下の幅を有する、請求項１に記載の装置。
【請求項９】
制御システムをさらに備え、該制御システムは、前記第１の微小構造による前記第１の機械的な刺激の付与と、前記第２の微小構造による前記第２の機械的な刺激の付与とを制御する、請求項１に記載の装置。
【請求項１０】
前記微小構造は、圧電性の力、静電気力、磁力、熱膨張または熱収縮の力、および化学的な膨張または収縮の力のうちの少なくとも１つを使用して組織表面に機械的な刺激を付与するように構築および配置されている、請求項１に記載の装置。
【請求項１１】
前記微小構造は、組織の創傷の巨視的な収縮をもたらすように制御可能である、請求項１に記載の装置。
【請求項１２】
前記微小構造は、組織の創傷の面積の少なくとも１０％の巨視的な収縮、および組織の創傷の面積の９０％未満の巨視的な収縮をもたらすように制御可能である、請求項１１に記載の装置。
【請求項１３】
第１のチャンネルと、
複数の微小構造の微小チャンバーの第１の群であって、該第１の群の微小チャンバーのそれぞれは、該第１のチャンネルと流体により連結されている、複数の微小構造の微小チャンバーの第１の群と、
該第１のチャンネルとは異なる第２のチャンネルと、
複数の微小構造の微小チャンバーの第２の群であって、該第２の群の微小チャンバーのそれぞれは、該第２のチャンネルと流体により連結されている、複数の微小構造の微小チャンバーの第２の群と
をさらに備え、
前記第１の微小構造による前記第１の機械的な刺激の付与は、該第１の群の微小チャンバーのそれぞれによる機械的な刺激の付与を含み、
前記第２の微小構造による前記第２の機械的な刺激の付与は、該第２の群の微小チャンバーのそれぞれによる機械的な刺激の付与を含み、
前記装置は、該第１の群の微小チャンバーのそれぞれによる機械的な刺激の付与が、該第２の群の微小チャンバーのそれぞれによる機械的な刺激の付与とは別個に制御可能であるように構成されている、請求項１に記載の装置。
【請求項１４】
組織成長を促進するための装置であって、該装置は、
組織表面に面するように構築および配置された複数の微小チャンバーを有する生体適合性マトリックスであって、該複数の微小チャンバーのそれぞれが、封入された周囲を形成する、生体適合性マトリックスと、
複数のチャンネルであって、該複数の微小チャンバーのそれぞれが、該チャンネルのうちの１つ以上と流体により連結されている、複数のチャンネルと
を備えている、装置。
【請求項１５】
前記複数のチャンネルは、複数の微小チャンネルを含み、前記複数の微小チャンバーのそれぞれが、該微小チャンネルのうちの１つ以上に流体により連結されている、請求項１４に記載の装置。
【請求項１６】
前記微小チャンネルのうちの少なくとも一部は、微小チャンバーが前記組織表面に力を付与するように該微小チャンバーに流体を加えるか、またはそこから流体を取り除くように構成されている、請求項１５に記載の装置。
【請求項１７】
第１の微小チャンネルを通る流体の流れは、第２の微小チャンネルを通る流体の流れとは別個に制御可能である、請求項１６に記載の装置。
【請求項１８】
前記微小チャンネルのうちの少なくとも一部は、前記微小チャンバーのうちの１つ以上に１つ以上の材料を送達するように構成されている、請求項１５に記載の装置。
【請求項１９】
前記微小チャンネルのうちの少なくとも一部は、前記微小チャンバーのうちの１つ以上から１つ以上の材料を取り除くように構成されている、請求項１５に記載の装置。
【請求項２０】
組織の状態を感知し、そして、制御システムに情報を提供するためのセンサーと、
少なくとも部分的には該センサーから受信した情報に基づいて、前記装置のパラメーターを制御するように構成された制御システムと
をさらに備えている、請求項１５に記載の装置。
【請求項２１】
細胞培養チャンバーをさらに備え、該細胞培養チャンバーは、前記チャンネルのうちの少なくとも１つを介して前記微小チャンバーのうちの少なくとも１つに流体により連結される、請求項１４に記載の装置。
【請求項２２】
前記細胞培養チャンバーは、前記マトリックスに埋め込まれる、請求項２１に記載の装置。
【請求項２３】
前記チャンネルは、生きた細胞、機能を失った細胞、創傷治癒メディエーター、タンパク質、無機材料、細胞外マトリックスの材料、ポリマーのうちの１つ以上を含む材料の供給源に連結され、
該チャンネルは、前記微小チャンバーを介して前記組織表面に該材料を送達するように構成されている、請求項１４に記載の装置。
【請求項２４】
組織成長を促進するために標的組織の表面に機械的な刺激を付与するためのデバイスであって、該デバイスは、
組織に面する表面を含む基材であって、該組織に面する表面は、複数の突出する微小構造を含み、該微小構造は、１００対１未満の長さ対幅の比を有する、基材と、
該突出する微小構造が標的組織の表面を変形させるような力を用いて該組織表面に対して該基材の該組織に面する表面を接触させ、維持するための手段と
を備える、デバイス。
【請求項２５】
力を用いて前記組織表面に対して前記組織に面する表面の接触を維持するための手段は、前記標的組織の表面を含まない範囲だけに前記基材を直接的に取り付けるように構成されている、請求項２４に記載のデバイス。
【手続補正２】
【補正対象書類名】明細書
【補正対象項目名】０００７
【補正方法】変更
【補正の内容】
【０００７】
本発明は、例えば、以下を提供する：
（項目１）
組織成長を促進するための装置であって、
複数の微小構造を有する生体適合性マトリックスであって、各微小構造は、機械的な刺激を組織表面に付与するように構築および配置されている、生体適合性マトリックス
を備え、
該装置は、該複数の微小構造のうちの第１の微小構造による第１の機械的な刺激の付与が、該複数の微小構造のうちの第２の微小構造による第２の機械的な刺激の付与とは別個に制御可能であるように構成されている、装置。
（項目２）
上記第１の微小構造と、上記第２の微小構造とは、上記組織表面に圧力を適用するように構築および配置された微小チャンバーを備えている、項目１に記載の装置。
（項目３）
上記第１の微小構造と、上記第２の微小構造とは、上記組織表面に減圧を適用するように構築および配置された微小チャンバーを備えている、項目２に記載の装置。
（項目４）
チャンネルを介して上記微小チャンバーに流体により連結された減圧供給源をさらに備えている、項目３に記載の装置。
（項目５）
上記微小チャンバーに圧力を制御可能に適用するように該微小チャンバーに流体により連結された圧力供給源をさらに備え、該微小チャンバーに適用される圧力は、上記装置の中に埋め込まれた微小流体バルブを用いて制御可能である、項目２に記載の装置。
（項目６）
上記第１の微小構造による上記第１の機械的な刺激の付与が、上記第２の微小構造によって付与される上記第２の機械的な刺激の大きさを変えることなく、該第１の機械的な刺激の大きさを変更するように制御可能である、項目１に記載の装置。
（項目７）
上記マトリックスは、シリコーンゴムを含み、各微小構造は、１０ミクロン以下の幅を有する微小チャンバーを備えている、項目１に記載の装置。
（項目８）
上記マトリックスは、上記組織表面に圧力を適用するように構築および配置された複数の微小チャンバーを備え、該微小チャンバーのそれぞれが、１０，０００ミクロン以下の幅を有する、項目１に記載の装置。
（項目９）
制御システムをさらに備え、該制御システムは、上記第１の微小構造による上記第１の機械的な刺激の付与と、上記第２の微小構造による上記第２の機械的な刺激の付与とを制御する、項目１に記載の装置。
（項目１０）
上記微小構造は、圧電性の力、静電気力、磁力、熱膨張または熱収縮の力、および化学的な膨張または収縮の力のうちの少なくとも１つを使用して組織表面に機械的な刺激を付与するように構築および配置されている、項目１に記載の装置。
（項目１１）
上記微小構造は、組織の創傷の巨視的な収縮をもたらすように制御可能である、項目１に記載の装置。
（項目１２）
上記微小構造は、組織の創傷の面積の少なくとも１０％の巨視的な収縮、および組織の創傷の面積の９０％未満の巨視的な収縮をもたらすように制御可能である、項目１１に記載の装置。
（項目１３）
第１のチャンネルと、
複数の微小構造の微小チャンバーの第１の群であって、該第１の群の微小チャンバーのそれぞれは、該第１のチャンネルと流体により連結されている、複数の微小構造の微小チャンバーの第１の群と、
該第１のチャンネルとは異なる第２のチャンネルと、
複数の微小構造の微小チャンバーの第２の群であって、該第２の群の微小チャンバーのそれぞれは、該第２のチャンネルと流体により連結されている、複数の微小構造の微小チャンバーの第２の群と
をさらに備え、
上記第１の微小構造による上記第１の機械的な刺激の付与は、該第１の群の微小チャンバーのそれぞれによる機械的な刺激の付与を含み、
上記第２の微小構造による上記第２の機械的な刺激の付与は、該第２の群の微小チャンバーのそれぞれによる機械的な刺激の付与を含み、
上記装置は、該第１の群の微小チャンバーのそれぞれによる機械的な刺激の付与が、該第２の群の微小チャンバーのそれぞれによる機械的な刺激の付与とは別個に制御可能であるように構成されている、項目１に記載の装置。
（項目１４）
組織成長を促進するための装置であって、該装置は、
組織表面に面するように構築および配置された複数の微小チャンバーを有する生体適合性マトリックスであって、該複数の微小チャンバーのそれぞれが、封入された周囲を形成する、生体適合性マトリックスと、
複数のチャンネルであって、該複数の微小チャンバーのそれぞれが、該チャンネルのうちの１つ以上と流体により連結されている、複数のチャンネルと
を備えている、装置。
（項目１５）
上記複数のチャンネルは、複数の微小チャンネルを含み、上記複数の微小チャンバーのそれぞれが、該微小チャンネルのうちの１つ以上に流体により連結されている、項目１４に記載の装置。
（項目１６）
上記微小チャンネルのうちの少なくとも一部は、微小チャンバーが上記組織表面に力を付与するように該微小チャンバーに流体を加えるか、またはそこから流体を取り除くように構成されている、項目１５に記載の装置。
（項目１７）
第１の微小チャンネルを通る流体の流れは、第２の微小チャンネルを通る流体の流れとは別個に制御可能である、項目１６に記載の装置。
（項目１８）
上記微小チャンネルのうちの少なくとも一部は、上記微小チャンバーのうちの１つ以上に１つ以上の材料を送達するように構成されている、項目１５に記載の装置。
（項目１９）
上記微小チャンネルのうちの少なくとも一部は、上記微小チャンバーのうちの１つ以上から１つ以上の材料を取り除くように構成されている、項目１５に記載の装置。
（項目２０）
組織の状態を感知し、そして、制御システムに情報を提供するためのセンサーと、
少なくとも部分的には該センサーから受信した情報に基づいて、上記装置のパラメーターを制御するように構成された制御システムと
をさらに備えている、項目１５に記載の装置。
（項目２１）
細胞培養チャンバーをさらに備え、該細胞培養チャンバーは、上記チャンネルのうちの少なくとも１つを介して上記微小チャンバーのうちの少なくとも１つに流体により連結される、項目１４に記載の装置。
（項目２２）
上記細胞培養チャンバーは、上記マトリックスに埋め込まれる、項目２１に記載の装置。
（項目２３）
上記チャンネルは、生きた細胞、機能を失った細胞、創傷治癒メディエーター、タンパク質、無機材料、細胞外マトリックスの材料、ポリマーのうちの１つ以上を含む材料の供給源に連結され、
該チャンネルは、上記微小チャンバーを介して上記組織表面に該材料を送達するように構成されている、項目１４に記載の装置。
（項目２４）
組織成長を促進するために標的組織の表面に機械的な刺激を付与する方法であって、該方法は、
組織に面する表面を含む基材を提供する工程であって、該組織に面する表面は、複数の突出する微小構造を含み、該微小構造は、１００対１未満の長さ対幅の比を有する、工程と、
該突出する微小構造が標的組織の表面を変形させるような力を用いて該組織表面に対して該基材の該組織に面する表面を接触させ、維持する工程と
を包含する、方法。
（項目２５）
力を用いて上記組織表面に対して上記組織に面する表面の接触を維持する行為は、上記標的組織の表面を含まない範囲だけに上記基材を直接的に取り付けることを包含する、項目２４に記載の方法。
（発明の要旨）
本発明の一局面は、創傷の表面に対する微小な機械的な力の制御された付与が、哺乳動物における創傷治癒および／または組織成長を促進することを可能にするデバイスおよび方法に関する。創傷治癒を加速させることが、感染、四肢の喪失、および疼痛を含む合併症を減少させる。二次的な経済的利益が、入院の減少、創傷の処置、および慢性病の患者に対する医療からもたらされ得る。本明細書に開示されるデバイスおよび方法はまた、インビボおよびインビトロの両方の人工組織だけでなく、インビトロの組織外植片の成長および発達を促進するために使用され得る。